(57)【要約】【課題】自動的かつ定期的に盗聴器の有無を検出する盗聴器検出器および時計を提供する。【解決手段】電波修正時計１は、盗聴器を検出するための盗聴器検出器２、および時計部３を有する。盗聴器検出器２は、その内部に盗聴器検出部４を有し、時計部３が有する発音部５を時計部３と共有している。また、電波修正時計１は、あらかじめユーザが設定した設定時刻（アラーム（目覚まし）時刻）になると、その時刻を所定音（アラーム音）を発して報知するアラーム（目覚まし）機能を有する。さらに、電波修正時計１は、標準電波放送局７から送信される標準時刻信号を含む電波信号を受信し、内部時計が計時する時刻を修正する機能を有する。盗聴器検出器２は、アラーム時刻に盗聴器６の検出を行う。【選択図】図１
2008252535.tif 000002
【特許請求の範囲】
【請求項１】
特定音を発し、受信音が自ら発した特定音か否かを判断して盗聴器の検出を行う盗聴器検出部と、
少なくとも上記特定音を含む音を発するための発音部を含む時計と、を有し、
上記盗聴器検出部は、
上記時計の発音部を共有する
盗聴器検出器。      
【請求項２】
上記時計は、
設定時刻に発音する機能を有し、
上記盗聴器検出部は、
上記時計の発音部が設定時刻に発音した特定音により、上記盗聴器の検出を行う
請求項１記載の盗聴器検出器。
【請求項３】
上記盗聴器検出部は、
上記盗聴器の検出結果を報知するための報知部を有する
請求項１または２記載の盗聴器検出器。
【請求項４】
上記盗聴器検出部は、
電波信号の受信レベルを検出する検出部と、
上記電波信号の周波数をスキャンするスキャン部と、
上記スキャン部のスキャン速度を切り替える切り替え部と、を含み、
上記切り替え部は、
上記受信レベルに応じて、上記スキャン部のスキャン速度を切り替える
請求項１から３のいずれか一つに記載の盗聴器検出器。
【請求項５】
特定音を発し、受信音が自ら発した特定音か否かを判断して盗聴器の検出を行う盗聴器検出部と、
上記特定音を含む音を発するための発音部と、
設定時刻に発音する機能と、を有し、
上記盗聴器検出部は、
上記発音部を共有する
時計。
【請求項６】
標準時刻信号を含む電波信号を受信する時計用受信部を有し、
上記時計用受信部は、
上記電波信号を受信して、内部時計の時刻修正を行う
請求項５記載の時計。
【発明の詳細な説明】
【技術分野】
【０００１】
本発明は、盗聴器の検出を行う盗聴器検出器および時計に関する。
【背景技術】
【０００２】
盗聴器が発する電波信号を検出して盗聴器の有無を判断する盗聴器検出器や、スピーカを用いて音波信号を発信させ、そのスピーカから発せられた音波信号が盗聴器から電波信号として発せられていないかを検出して、盗聴器を検知する盗聴器検出器が知られている（たとえば特許文献１、２を参照）。
【特許文献１】特開昭４９−２４０８９号公報
【特許文献２】特開２０００−３３２６３５号公報
【発明の開示】
【発明が解決しようとする課題】
【０００３】
上述したような盗聴器検出器は、何れもユーザ（使用者）自身が盗聴器検出器を動作させて盗聴器の探索を行わなければならない。
【０００４】
また、盗聴器検出器による盗聴器の探索直後は、盗聴器検出器による検出結果の信頼性は高いが、時間の経過に伴い、検出結果の信頼性は低下する。たとえば、第三者によって家屋内に盗聴器が設置され、ユーザが盗聴器検出器によって盗聴器を検出して除去したとしても、その後の家屋等への人の出入りや侵入者等により、盗聴器が再び設置される可能性がある。したがって、ユーザは、再び盗聴器の探索を行わねばならない。
【０００５】
さらに、盗聴器検出器は、女性をはじめ、万人に購入しやすい物とは言い難い。
【０００６】
本発明の目的は、自動的かつ定期的に盗聴器の存在を検出する盗聴器検出器および時計を提供することにある。
【課題を解決するための手段】
【０００７】
本発明の第１の観点の盗聴器検出器は、特定音を発し、受信音が自ら発した特定音か否かを判断して盗聴器の検出を行う盗聴器検出部と、少なくとも上記特定音を含む音を発するための発音部を含む時計と、を有し、上記盗聴器検出部は、上記時計の発音部を共有する。
【０００８】
好適には、上記時計は、設定時刻に発音する機能を有し、上記盗聴器検出部は、上記時計の発音部が設定時刻に発音した特定音により、上記盗聴器の検出を行う。
【０００９】
好適には、上記盗聴器検出部は、上記盗聴器の検出結果を報知するための報知部を有する。
【００１０】
好適には、上記盗聴器検出部は、電波信号の受信レベルを検出する検出部と、上記電波信号の周波数をスキャンするスキャン部と、上記スキャン部のスキャン速度を切り替える切り替え部と、を含み、上記切り替え部は、上記受信レベルに応じて、上記スキャン部のスキャン速度を切り替える。
【００１１】
本発明の第２の観点の時計は、特定音を発し、受信音が自ら発した特定音か否かを判断して盗聴器の検出を行う盗聴器検出部と、上記特定音を含む音を発するための発音部と、設定時刻に発音する機能と、を有し、上記盗聴器検出部は、上記発音部を共有する。
【００１２】
好適には、標準時刻信号を含む電波信号を受信する時計用受信部を有し、上記時計用受信部は、上記電波信号を受信して、内部時計の時刻修正を行う。
【発明の効果】
【００１３】
本発明によれば、自動的かつ定期的に盗聴器の存在を検出できる。
【発明を実施するための最良の形態】
【００１４】
以下に、本発明の実施形態を図面に関連づけて説明する。
【００１５】
図１は、本実施形態に係る電波修正時計の一実施形態で、各構成要素の主要部を示すブロック図である。
【００１６】
図１では、本実施形態の概要を簡単に説明するために、盗聴器検出器２および時計部３の主要部のみを図示している。本盗聴器検出器２および時計部３の詳細については後述する。
【００１７】
図１に示す電波修正時計１は、盗聴器を検出するための盗聴器検出器２、および時計部３を有する。また、電波修正時計１は、あらかじめユーザが設定した設定時刻（以後、この設定時刻をアラーム（目覚まし）時刻と称する）になると、その時刻を所定音（アラーム音）を発して報知するアラーム（目覚まし）機能を有する。さらに、電波修正時計１は、標準電波放送局７から送信される標準時刻信号を含む電波信号を受信し、内部時計が計時する時刻を修正する機能を有する。
【００１８】
盗聴器検出器２は、その内部に盗聴器検出部４を有し、時計部３が有する発音部５を時計部３と共有している。
【００１９】
盗聴器検出部４は、たとえば受信アンテナ４１、受信回路４２、受信周波数走査系４３、信号処理系４４、マイクロコンピュータ４５、および報知部４６を有する。
【００２０】
時計部３は、たとえば、時計用受信アンテナ３１１と長波受信回路３１２で構成されている時計用受信部３１、時計表示部３２、および制御回路３３を有する。さらに時計部３は、発音部５を有し、盗聴器検出器２と共有している。
【００２１】
発音部５は、たとえば信号発生器５１およびスピーカ５２を有し、盗聴器検出器２および時計部３で共有されている。
【００２２】
次に、本実施形態に係る電波修正時計１の各構成要素について説明する。
【００２３】
図１に示す電波修正時計１は、たとえばアラーム時刻をアラーム音で報知する。また、本電波修正時計１は、標準時刻信号を含む標準電波信号を受信し、その受信結果に基づいて内部で計時される時刻を修正する。
【００２４】
図１に示す盗聴器検出器２は、たとえばアラーム時刻に所定周波数（たとえば可聴周波数）の特定音を発音部５を用いて発音させ、発音している音波信号が、盗聴器６が発信している電波によって搬送されていないかを調べることで、盗聴器６の有無を判断する。また、盗聴器検出器２は、たとえば後述する盗聴器検出切り替えスイッチによって、盗聴器検出器２のオン・オフが切り替えられる。たとえば、盗聴器検出器２は、盗聴器検出切り替えスイッチがオンの場合は、盗聴器６の検出を行い、前記スイッチがオフの場合は、盗聴器検出器２は、盗聴器６の検出を行わない。
【００２５】
受信アンテナ４１は、盗聴器６のマイクロフォン６２が音波信号を受信し、アンテナ６１を介して送出している電波信号を受信する。
【００２６】
受信回路４２は、たとえば、高周波信号や中間周波数信号を増幅する増幅器や、周波数の異なる２つの信号を掛け合わせる混合器、検波を行う検波器等で構成され、受信した電波信号に増幅や検波等の処理を施して音声信号を信号処理系４４に出力する。また受信回路４２は、たとえば信号の受信レベルを検出する検出部を有し、受信した電波信号に増幅等の処理を施した後、受信信号の受信レベルを検出してマイクロコンピュータ４５に出力する。
【００２７】
受信周波数走査系４３は、たとえば、同調周波数をスキャンするスキャン部や、スキャン速度を切り替える切り替え部、入力電圧に応じた周波数で発振する電圧制御発振器（ＶＣＯ；Voltage Controlled Oscillator、以後ＶＣＯと称する）等で構成され、スキャン部にてマイクロコンピュータ４５の制御に応じたスキャン速度で連続的に同調周波数をスキャンし、ＶＣＯにてスキャン結果に応じた発振周波数の信号を生成し、受信回路４２に出力する。
【００２８】
信号処理系４４は、たとえば、所定周波数成分の信号のみを通過させるバンドパスフィルタや、検波を行う検波器等で構成され、受信回路４２から入力された音声信号から所定周波数成分の信号を取り出し、検波を行ってマイクロコンピュータ４５に音声信号を出力する。
【００２９】
マイクロコンピュータ４５は、信号処理系４４から音声信号が、受信回路４２から受信信号の受信レベルが、アラーム時刻に時計部３の制御回路３３から制御信号が入力され、これらの信号に応じて受信周波数走査系４３、報知部４６および信号発生器５１を制御する。
【００３０】
報知部４６は、マイクロコンピュータ４５の制御に基づいて、たとえば盗聴器６の検出結果等の情報を報知する。なお、報知部４６の構成については特に限定されず、たとえばランプ、画像や文字情報を表示するディスプレイ等を採用することができる。
【００３１】
次に、本実施形態に係る時計部３の各構成要素について説明する。
【００３２】
図１に示す時計部３は、たとえば、時刻の計時や、時刻表示、標準電波信号による内部時計の計時時刻の修正、アラーム時刻の報知等を行う。
【００３３】
時計用受信部３１の時計用受信アンテナ３１１は、たとえば長波用のバーンアンテナやコアレスアンテナであって、たとえば標準電波放送局７から送信された標準時刻信号を含む長波の標準電波を受信する。
【００３４】
長波受信回路３１２は、たとえば検波器、整流回路、ＲＦアンプ、および積分回路等で構成され、制御回路３３からの指示に応じて、時計用受信アンテナ３１１で受信された標準電波に対して所定の信号処理を行い、処理結果をたとえばパルス信号として制御回路３３に出力する。
【００３５】
時計表示部３２は、たとえば液晶パネルで構成され、制御回路３３の制御に基づいて、たとえばアラーム時刻を含む時刻表示や、標準電波信号の受信状態等を表示する。本実施形態に係る時計表示部３２では、アナログあるいはディジタルといった表示方式、および表示内容等は特に限定されない。たとえば分針や時針を有し、これら指針の回転位置により、秒、分、時などが刻印された文字盤等を採用することができる。
【００３６】
制御回路３３は、たとえば長波受信回路３１２から入力された標準時刻情報等を含むパルス信号や、ユーザによるスイッチ等（図１には図示していない）による外部からの操作に基づいて、時計部３を構成している各構成要素、たとえば図１に図示する長波受信回路３１２、時計表示部３２、盗聴器検出部４のマイクロコンピュータ４５、および発音部５を制御する。たとえば制御回路３３は、計時時刻を修正して時計表示部３２に計時時刻を表示させ、発音部５を制御してアラーム時刻等をアラーム音で報知する。また、制御回路３３が、アラーム時刻にマイクロコンピュータ４５を制御することによって、盗聴器検出器２が盗聴器６の検出を行う。
【００３７】
発音部５は、盗聴器検出器２および時計部３で共有され、アラーム音等の可聴周波数の音波信号を発生させる。
【００３８】
信号発生器５１は、たとえば、盗聴器検出切り替えスイッチがオンの場合は、制御回路３３およびマイクロコンピュータ４５によって制御され、前記スイッチがオフの場合は、制御回路３３によって制御される。そして、信号発生器５１は、入力された音声信号を音波信号に変換し、その音波信号をスピーカ５２を介して出力する。この音波信号は、たとえばアラーム音やメロディ音等を含む可聴周波数の音である。
【００３９】
スピーカ５２は、たとえばアラーム音やメロディ音等を含む可聴周波数の音波信号を出力する。
【００４０】
また、図１に示す盗聴器６は、マイクロフォン６２で音波信号を受信し、この音波信号で搬送波の高周波を変調して電波信号をアンテナ６１を介して送信する。
【００４１】
また、標準電波放送局７は、標準時刻信号を含む標準電波信号を送信する。
【００４２】
ここで、標準電波放送局７が送信する標準時刻信号について説明する。
【００４３】
図２は、図１に示した電波修正時計で受信される標準電波信号に含まれる標準時刻信号の一具体例を示す図である。
【００４４】
図２（ａ）は標準電波信号の一具体例を示す図である。図２（ｂ）は受信状態が良い場合の出力波形を示す図である。図２（ｃ）は受信状態が良好でない場合、電波の受信強度が非常に弱い場合の出力波形の一具体例を示す図である。図２（ｄ）は電波の受信状態が良好でない場合の出力波形の一具体例を示す図である。
【００４５】
たとえば、日本標準時を高精度で伝える長波の日本標準電波ＪＪＹは、図２（ａ）に示すような形態で送られてくる。
【００４６】
具体的には、ＪＪＹの標準時刻信号（タイムコードとも言う）は、「１」信号、「０」信号、「Ｐ」信号の３種類の信号パターンから構成され、それぞれの信号パターンは、１秒（ｓ）の中の１００％振幅期間幅によって区別されている。「１」信号を表す場合には、１秒（ｓ）の間に５００ｍｓ（０．５ｓ）だけ所定の周波数の所定の１００％振幅期間の信号が送信され、「０」信号を表す場合には、１秒（ｓ）の間に８００ｍｓ（０．８ｓ）だけ所定の周波数の信号が送信され、「Ｐ」信号を表す場合には、１秒（ｓ）の間に２００ｍｓ（０．２ｓ）だけ所定の周波数の信号が送信されてくる。
【００４７】
受信状態が良好であり、受信が成功した場合には、たとえば図２（ｂ）に示すように標準時刻信号の波形に応じたパルス信号が制御回路３３に出力される。
この場合には、制御回路３３は、受信した標準電波の受信状態が予め規定された正常な基準範囲内にあるものとみなす。
【００４８】
一方、受信状態が基準範囲外にあるとみなす場合は、電波が弱い場合や、ノイズが多い場合である。電波が非常に弱い場合には、たとえば図２（ｃ）に示すように、数個の信号分、パルス信号がローレベル（Ｌ）またはハイレベル（Ｈ）のままになる。また、ノイズの多い場合には、たとえば図２（ｄ）に示すように、受信電波の波形に無関係にパルス信号のレベルが変化する。
【００４９】
なお、日本標準電波ＪＪＹは、独立行政法人情報通信機構（ＮＩＣＴ）のもとで運用されている。また、変調波であるパルス信号の振幅は最大１００％、最小１０％である。
【００５０】
次に、標準電波信号の送信データ（時刻コード）について説明する。
【００５１】
図３（ａ），（ｂ）は、標準電波信号の時刻コード（タイムコード）の一部である。
【００５２】
タイムコードは、たとえば図３（ａ），（ｂ）に示すように、１分１周期（１フレーム）として、これを、６０秒分割し、１秒毎に１ビットの情報を割り当てて送信している。
【００５３】
タイムコードが送信する情報は、時、分、１月１日からの通算日、年（西暦下２桁）、曜日に関しては、２進数（ＢＣＤ（Binary coded decimal notation ２進化１０進法）正論理）として表し送信する。従って、時には、２４時間制ＪＳＴの時を表すために６ビット、分には７ビット、通算日には１０ビット、年には８ビット、曜日には３ビットが必要となる。
【００５４】
なお、秒信号については、秒は電波のパルス信号の立ち上がりとし、パルスの立ち上がりの５５％（１０％値と１００％値の中央）が標準時刻の１秒信号に同期する。
【００５５】
Ｐ信号は、１フレームに７回送信され、正分（０秒）に対応するものがマーカーＭと呼ばれ、９秒、１９秒、２９秒、３９秒、４９秒に対応するものが、それぞれポジションマーカーＰ１〜Ｐ５と呼ばれる。なお、もう一つのポジションマーカーＰ０は、通常（非うるう秒時）は５９秒の立ち上がりに対応する。
【００５６】
このＰ信号が続けて現れるのは１フレーム中１回で、５９秒、００秒のとき、つまりポジションマーカーＰ０，マーカーＭと続くときだけ、この続けて現れる位置が正分位置となる。つまり分・時データの等の時刻データは、この正分位置を基準としてフレーム中の位置が決まっているため、この正分位置の検出を行い、時刻データを取りだす。
【００５７】
ただし、標準電波のフレームのフォーマットは、毎分同じではなく、たとえば図３（ａ）に示すように、毎時１５分および４５分時以外のフォーマットと、図３（ｂ）に示すように、それぞれ毎時１５分および４５分の時刻のフォーマットは、異なっている。ＳＵ１、ＳＵ２と名付けられた予備ビットと、ＬＳ１、ＬＳ２と名付けられたうるう秒情報は、図３（ａ）に示す、毎時１５分、４５分以外のフォーマットに、呼び出し符号と停波情報は、図３（ｂ）に示す、毎時１５分、４５分のフォーマットにのみ現れる。
【００５８】
このように、時刻信号（タイムコード）を含む標準電波を受信し、そこから得られるパルス信号をデコードすることにより、標準時刻情報を得ることができる。制御回路３３は、得られた標準時刻信号に基づいて、計時される計時時刻を修正する。
【００５９】
以上述べたように、本実施形態では、時計にアラーム機能を有し、内部時計の計時時刻を修正する電波修正時計を採用している。さらに、本実施形態では、この時計に盗聴器を検出するための盗聴器検出器を配している。
【００６０】
次に、本盗聴器検出器２の具体的な構成例について、図４を参照しながら詳細に説明する。
【００６１】
図４は、本実施形態に係る盗聴器検出器の具体的な一構成例を示すブロック図である。
【００６２】
図４に示す盗聴器検出器２は、図１に示す盗聴器検出部４を構成している受信回路４２、受信周波数走査系４３、信号処理系４４、マイクロコンピュータ４５、および報知部４６を有する。また、盗聴器検出器２は、図１に示す時計部３の発音部５を共有している。
【００６３】
より具体的には、受信回路４２は、高周波増幅器４２１、混合器４２２、中間周波数増幅器４２３、検出部４２４、および第１の検波器４２５を有する。
【００６４】
また、受信周波数走査系４３は、スキャン部４３１、ＶＣＯ４３３、および切り替え部４３２を有する。
【００６５】
さらに、信号処理系４４は、バンドパスフィルタ４４１、および第２の検波器４４２を有する。
【００６６】
次に、本盗聴器検出器２の各構成部について説明する。
【００６７】
受信回路４２の受信アンテナ４１は、盗聴器６が発信している電波信号を受信し、その電波信号を受信回路４２の高周波増幅器４２１に出力する。
【００６８】
高周波増幅器４２１は、受信アンテナ４１が受信した電波信号が入力され、高周波の信号（たとえば４００ＭＨｚ程度）を増幅して混合器４２２に出力する。
【００６９】
混合器４２２は、高周波増幅器４２１によって増幅された信号と、ＶＣＯ４３３が発振する所定周波数の信号とが入力され、周波数の異なる２つの信号を掛け合わせて混合し、中間周波数増幅器４２３に出力する。
【００７０】
中間周波数増幅器４２３は、混合器４２２から入力された信号の内、中間周波数成分（たとえば１０．７MHｚ）のみを増幅し、増幅した信号を第１の検波器４２５に出力する。
【００７１】
第１の検波器４２５は、中間周波数増幅器４２３から入力された信号を復調して音声信号を取り出し、信号処理系４４を構成しているバンドパスフィルタ４４１に出力する。
【００７２】
検出部４２４は、中間周波数増幅器４２３における信号の受信レベルを検出し、マイクロコンピュータ４５に出力する。
【００７３】
バンドパスフィルタ４４１は、受信回路４２の第１の検波器４２５から入力された音声信号から特定の周波数成分（たとえば１ｋＨｚ）を取りだし、第２の検波器４４２に出力する。
【００７４】
第２の検波器４４２は、バンドパスフィルタ４４１から音声信号が入力され、この音声信号から特定周波数の振幅の大きさを検出し、マイクロコンピュータ４５に出力する。
【００７５】
マイクロコンピュータ４５は、第２の検波器４４２から音声信号が、検出部４２４から信号の受信レベルが、スキャン部４３１から制御信号がそれぞれ入力され、これらの信号や受信レベルに応じて、スキャン部４３１、切り替え部４３２、および報知部４６をそれぞれ制御する。また、マイクロコンピュータ４５は、図１に示す時計部３の制御回路３３と接続され、盗聴器検出切り替えスイッチがオンの場合は、制御回路３３からの制御信号により発音部５の信号発生器５１を制御する。なお、マイクロコンピュータ４５が行うスキャン部４３１、および切り替え部４３２の制御については後述する。
【００７６】
スキャン部４３１は、第１の電流源（図６のトランジスタＴＲ３、抵抗Ｒ５〜Ｒ７、およびノードＮＤ４〜ＮＤ５で構成されている）と、電流供給ノード（図６のＮＤＩ）に接続され、第１の電流源が生成する電流によって充電されるキャパシタ（図６のＣ１）と、この電流供給ノードの電圧を所定の電圧（たとえば接地電位）にリセットするスイッチ（図６のトランジスタＴＲ４）と、電流供給ノードの電圧と所定の電圧とを比較し、電流供給ノードの電圧が所定の電圧に達したか否かを判断する電圧比較部（図６のＣＰＮ）とを有する。なお、スキャン部４３１の構成要素の詳細については、図６を用いて後述する。
【００７７】
スキャン部４３１は、第１の電流源と、オンまたはオフに切り替えられ、切り替え部４３２を構成している第２の電流源（図６のトランジスタＴＲ５、抵抗Ｒ８〜Ｒ１０、およびノードＮＤ７〜ＮＤ８で構成されている）とを用いて、キャパシタを充電する。そして、スキャン部４３１は、電圧比較部にて、電流供給ノードの電圧と基準電圧とを比較し、電流供給ノードの電圧が基準電圧に達した時に、キャパシタの電圧を所定電圧（たとえば接地電位）にリセットする。また、スキャン部４３１は、キャパシタの電圧が所定電圧にリセットされるまでの期間、電流供給ノードの電圧をＶＣＯ４３３に出力する。
【００７８】
切り替え部４３２は、電流供給ノード（図６のＮＤＩ）に接続されたキャパシタ（図６のＣ１）を充電するための第２の電流源（図６のトランジスタＴＲ５、抵抗Ｒ８〜Ｒ１０、およびノードＮＤ７〜ＮＤ８で構成されている）を有する。また、第２の電流源には、マイクロコンピュータ４５からの制御信号に従って、オンもしくはオフに切り替えられるスイッチ（図６のトランジスタＴＲ６）が接続されている。なお、切り替え部４３２の構成要素の詳細については、図６を用いて後述する。
【００７９】
切り替え部４３２は、マイクロコンピュータ４５から制御信号が入力され、検出部４２４にて検出される受信レベルが一定値以下の場合は、スイッチをオンに切り替える。受信レベルが一定値以上の場合は、スイッチをオフに切り替える。
【００８０】
ＶＣＯ４３３は、スキャン部４３１から電流供給ノード（図６のＮＤＩ）の電圧が入力され、盗聴器検出器２が電波信号を安定して受信するために、スキャン部４３１からの入力電圧に応じた周波数で発振し、所定周波数の信号を混合器４２２に出力する。
【００８１】
発音部５の信号発生器５１は、盗聴器検出切り替えスイッチがオンの場合は、マイクロコンピュータ４５からの制御によって、たとえばアラーム時刻に、所定周波数（たとえば可聴周波数帯域）の音声信号を生成する。また、信号発生器５１は、時計部３（図１を参照）の制御回路３３によってアラーム音やメロディ音等の音声信号を生成する。なお、信号発生器５１は、盗聴器検出切り替えスイッチがオフの場合は、時計部３の制御回路３３のみによって制御される。
【００８２】
スピーカ５２は、信号発生器５１から入力された音声信号に基づいて、音波信号を発信する。
【００８３】
報知部４６は、マイクロコンピュータ４５から制御信号が入力され、所定の情報を報知する。報知部４６は、たとえば盗聴器６の検出結果等の情報を表示装置（たとえばランプ、画像や文字情報等を表示するディスプレイ）やブザー等を用いて報知する。
【００８４】
次に、本盗聴器検出器２の動作について説明する。以下の説明において、盗聴器検出切り替えスイッチがオンに設定され、本盗聴器検出器２が盗聴器６の検出を行うとする。
【００８５】
盗聴器検出器２のマイクロコンピュータ４５は、アラーム時に、時計部３の制御回路３３から制御信号を受け、特定周波数の音波信号（アラーム音）をスピーカ５２を介して発信させるように信号発生器５１を制御する。盗聴器６は、盗聴器検出器２からの音波信号をマイクロフォン６２で取得し、その音波信号で搬送波の高周波を変調して、アンテナ６１を介して送出する。
【００８６】
盗聴器検出器２は、受信アンテナ４１で受信した電波信号を受信回路４２にて電波信号から音声信号に復調する。また、盗聴器検出器２は、電波信号の受信レベルを検出する。
【００８７】
次に、受信回路４２の動作について説明する。
【００８８】
高周波増幅器４２１は、高周波信号を増幅し、混合器４２２は、この増幅された高周波信号とＶＣＯ４３３が出力する所定周波数の信号とを掛け合わせる。
【００８９】
そして、ＶＣＯ４３３は、スキャン部４３１の制御信号に基づいて、所定周波数の信号を生成する。
【００９０】
ここで、切り替え部４３２の制御によってスキャン部４３１がスキャンし、ＶＣＯ４３３が所定周波数の信号を混合器４２２に出力するまでの動作について説明する。
【００９１】
切り替え部４３２は、マイクロコンピュータ４５の制御信号に基づいて、スイッチをオンまたはオフに切り替える。
【００９２】
検出部４２４にて検出された受信レベルが一定値以下の場合は、切り替え部４３２は、スイッチをオンに切り替える。電波信号の受信レベルが一定値以上の場合は、切り替え部４３２は、スイッチをオフに切り替える。
【００９３】
スキャン部４３１は、マイクロコンピュータ４５の制御信号と、切り替え部４３２のスイッチの切り替えに応じて、低速または通常のスキャン速度でスキャンする。
【００９４】
切り替え部４３２のスイッチがオンの場合は、スキャン部４３１は、キャパシタを第１および第２の電流源で充電する（通常のスキャン速度）。切り替え部４３２のスイッチがオフの場合は、スキャン部４３１は、キャパシタを第１の電流源のみで充電する（低速スキャン）。
【００９５】
そして、スキャン部４３１は、電流供給ノード（図示していない）の電圧が所定の電圧に達するまで、スキャンを行い、電流供給ノードの電圧をＶＣＯ４３３に出力する。
【００９６】
ＶＣＯ４３３は、スキャン部４３１の出力電圧に応じて、所定の周波数の信号を生成し、混合器４２２に出力する。
【００９７】
このようにして、ＶＣＯ４３３は、混合器４２２に所定周波数の信号を出力する。
【００９８】
中間周波数増幅器４２３は、混合器４２２から入力され、掛け合わされた信号から、中間周波数成分の信号を取り出して第１の検波器４２５と検出部４２４とに出力する。
【００９９】
第１の検波器４２５は、中間周波数の信号を復調して音声信号を取り出し、バンドパスフィルタ４４１に出力する。また、検出部４２４は、中間周波数の信号の受信レベルを検出し、検出結果をマイクロコンピュータ４５に出力する。
【０１００】
つづいて、バンドパスフィルタ４４１は、第１の検波器４２５にて検波された音声信号から特定の周波数成分を取りだし、第２の検波器４４２に出力する。そして、第２の検波器４４２は、音声信号に含まれる特定周波数の振幅の大きさを検波し、マイクロコンピュータ４５に出力する。
【０１０１】
マイクロコンピュータ４５は、第２の検波器４４２が出力する電圧で盗聴器６の有無を判断する。この電圧により、盗聴器６が検出された場合は、マイクロコンピュータ４５は、検出したことを報知するように報知部４６を制御する。盗聴器６が検出されない場合は、マイクロコンピュータ４５は、連続してスキャンするようにスキャン部４３１および切り替え部４３２を制御する。
【０１０２】
以上に述べたように、本盗聴器検出器２は、スピーカ５２で発信させる同調周波数を連続的に変化させながらスキャンを行う。そのため、ＶＣＯ４３３の発振周波数は固定される必要がない。
【０１０３】
しかし、本実施形態では、バンドパスフィルタ４４１で音声信号から特定の周波数の成分を取り出す際の時間幅が十分でないとスキャンに影響を与えるという問題がある。これは、音声信号の振幅が一定値に達するまでに所定時間を要するからである。
【０１０４】
次に、上記に述べたバンドパスフィルタ４４１における問題点について説明する。
【０１０５】
図５は、音声信号が本実施形態に係るバンドパスフィルタを通過する際の、波形の変化を説明するための図である。図５（Ａ）、（Ｃ）は、バンドパスフィルタ４４１を通過する前の入力信号の波形を、図５（Ｂ）、（Ｄ）は、図５（Ａ）、（Ｃ）の入力信号がそれぞれバンドパスフィルタ４４１を通過した後の出力信号の波形を示す。なお、バンドパスフィルタ４４１の通過周波数を１ｋＨｚ、受信回路４２の第１の検波器４２５（図４を参照）から出力される音声信号の周波数を１ｋＨｚとする。
【０１０６】
本盗聴器検出器２において、受信した電波信号の周波数をスキャンする際に、スキャン周波数が盗聴器６の発振周波数を通過する期間だけ、音声信号に復調される。したがって、第１の検波器４２５が出力する音声信号の波形は、バースト状となる。
【０１０７】
盗聴器６が発する電波信号は、受信回路４２にて１ｋＨｚの音声信号に復調され、１ｋＨｚのバンドパスフィルタ４４１を通過し、その音声信号の振幅の大きさから、マイクロコンピュータ４５にて、１ｋＨｚの音声成分の有無を判断する。
【０１０８】
バンドパスフィルタ４４１は、図５（Ａ）に示すような波形の入力信号が入力されると、図５（Ｂ）のような波形の信号を出力する。この時、出力信号の波形に鈍りが生じる。このような波形の鈍りは、バンドパスフィルタ４４１の周波数の選択度、すなわちバンドパスフィルタ４４１の性能を上げるほど顕著になる。図５（Ａ）のように、入力信号の時間幅が十分であれば、バンドパスフィルタ４４１は、図５（Ｂ）のように、一定振幅の大きさ（図５では１ｋＨｚ）を有する信号を出力する。しかし、図５（Ｃ）のような時間幅の短い入力信号の場合、バンドパスフィルタ４４１は、図５（Ｄ）のような波形の信号を出力し、信号の振幅の大きさが一定値（図５では１ｋＨｚ）に達する前に、入力信号が終了する。
【０１０９】
このように、バンドパスフィルタ４４１に入力される信号の入力時間の幅が十分にとれない場合、マイクロコンピュータ４５は、周波数の判定に必要な振幅を得られない。一定周波数帯域の周波数をスキャンする速さが速くなるほど、バンドパスフィルタ４４１に入力される信号の時間幅は短くなる。
【０１１０】
逆に、上記に述べた入力信号の時間幅を十分に確保しようとすると、１回のスキャンに要する時間が長くなる。
【０１１１】
次に、具体例を挙げて説明する。中間周波数は、盗聴器６が狭帯域の送信機であるので、中間周波数増幅器４２３の中間周波数の通過帯域幅を±２０ｋＨｚとし、盗聴器検出器２が盗聴器に多く使用されている１３９ＭＨｚから４００ＭＨｚの周波数についてスキャンしたと仮定する。
【０１１２】
１ｋＨｚのバンドパスフィルタ４４１が１ｋＨｚの５０波形分の時間で、その信号の振幅が一定値に到達すると仮定した場合、その時間幅は、５０／１０００＝５０×１０−３で５０ｍｓである。中間周波数の通過帯域±２０ｋＨｚが５０ｍｓで通過するためには、５０×１０−３×（４００×１０６−１３９×１０６）／４０×１０３＝３２６．２５ｓとなる。これは、盗聴器検出器２が３２６．２５ｓかけて１３９ＭＨｚから４００ＭＨｚの周波数帯域をスキャンすることを意味し、１回のスキャンにおよそ５．４分間必要である。
【０１１３】
本盗聴器検出器２は、上記に述べたバンドパスフィルタ４４１における問題点を解決するために、第２の検波器４４２、スキャン部４３１、および切り替え部４３２を有する。
【０１１４】
次に、スキャン部４３１、および切り替え部４３２の回路構成例について説明する。
【０１１５】
図６は、本実施形態に係るスキャン部、および切り替え部の一構成例を示す回路図である。
【０１１６】
スキャン部４３１は、ｐｎｐ型のトランジスタＴＲ１とＴＲ２、抵抗Ｒ１〜Ｒ４、およびノードＮＤ１〜ＮＤ３で構成されている電圧比較部ＣＰＮと、ｐｎｐ型のトランジスタＴＲ３、抵抗Ｒ５〜Ｒ７、ノードＮＤ４、ＮＤ５で構成され、電流ＩＣ３を生成する第１の電流源と、キャパシタＣ１と、電流供給ノードＮＤＩと、電流供給ノードＮＤＩを所定電圧にリセットし、スイッチとして動作するｎｐｎ型のトランジスタＴＲ４と、ノードＮＤ６を有する。
【０１１７】
電圧比較部ＣＰＮの抵抗Ｒ１とＲ２は、電源電位ＶＤＤと接地電位ＧＮＤとの間に直列に接続されている。
【０１１８】
そして、トランジスタＴＲ１は、ベースがノードＮＤ１に、エミッタがノードＮＤ２に、コレクタがノードＮＤ３にそれぞれ接続されている。トランジスタＴＲ２は、ベースがノードＮＤ４に、エミッタがノードＮＤ２に、コレクタが接地電位ＧＮＤにそれぞれ接続されている。
【０１１９】
抵抗Ｒ３は、電源電位ＶＤＤとノードＮＤ２との間に接続され、抵抗Ｒ４は、接地電位ＧＮＤとノードＮＤ３との間に接続されている。また、ノードＮＤ３は、エンド信号線ＥＮＤＬに接続されている。
【０１２０】
抵抗Ｒ５とＲ６は、電源電位ＶＤＤと接地電位ＧＮＤとの間に直列に接続され、抵抗Ｒ７は、電源電位ＶＤＤとトランジスタＴＲ３のエミッタとの間に接続されている。また、キャパシタＣ１は、電流供給ノードＮＤＩと接地電位ＧＮＤとの間に接続されている。さらに、電流供給ノードＮＤＩは、ノードＮＤ６とＮＤ８を介してＶＣＯ制御信号線ＶＣＮＴＬでＶＣＯ４３３と接続されている。
【０１２１】
そして、トランジスタＴＲ３は、ベースがノードＮＤ５に、エミッタが抵抗Ｒ７に、コレクタがノードＮＤ４にそれぞれ接続されている。トランジスタＴＲ４は、ベースがリセット信号線ＲＳＴＬでマイクロコンピュータ４５に、エミッタが接地電位ＧＮＤに、コレクタがノードＮＤ６にそれぞれ接続されている。
【０１２２】
切り替え部４３２は、ｐｎｐ型のトランジスタＴＲ５、ノードＮＤ７、ＮＤ８および抵抗Ｒ８〜Ｒ１０で構成され、電流ＩＣ４を生成する第２の電流源と、第２の電流源の電流を供給するか否かを切り替え、スイッチとして動作するｎｐｎ型のトランジスタＴＲ６を有する。
【０１２３】
トランジスタＴＲ５は、ベースがノードＮＤ７に、エミッタが抵抗Ｒ８に、コレクタがノードＮＤ８にそれぞれ接続されている。
【０１２４】
抵抗Ｒ８は、電源電位ＶＤＤとトランジスタＴＲ５のエミッタとの間に接続されている。また、抵抗Ｒ９と抵抗Ｒ１０は、電源電位ＶＤＤとトランジスタＴＲ６のコレクタとの間に直列に接続されている。
【０１２５】
トランジスタＴＲ６は、ベースが切り替え信号線ＣＮＴＬでマイクロコンピュータ４５に、エミッタが接地電位ＧＮＤに、コレクタが抵抗Ｒ１０にそれぞれ接続されている。
【０１２６】
また、ＶＣＯ制御信号線ＶＣＮＴＬは、電流供給ノードＮＤＩの電圧ＶＣＮＴが、リセット信号線ＲＳＴＬにはリセット信号ＲＳＴが、切り替え信号線ＣＮＴＬには切り替え信号ＣＮＴが、エンド信号線ＥＮＤＬには、エンド信号ＥＮＤが、それぞれ伝搬される。
【０１２７】
次に、スキャン部４３１、および切り替え部４３２の動作について説明する。
【０１２８】
図７は、本実施形態に係る切り替え部、およびスキャン部の動作を説明するためのタイミングチャートである。図７（Ａ）は、電流供給ノードＮＤＩの電圧ＶＣＮＴを、図７（Ｂ）は、エンド信号ＥＮＤを、図７（Ｃ）は、リセット信号ＲＳＴを、図７（Ｄ）は、検出部４２４の受信レベルを、図７（Ｅ）は、切り替え信号ＣＮＴを、図７（Ｄ）のＬＥＶは受信レベルの一定値をそれぞれ示す。
【０１２９】
（盗聴器検出器の第１ステップＳＴ１）
スキャン開始時に、図７（Ｃ）のように、マイクロコンピュータ４５がリセット信号線ＲＳＴＬにハイレベルのリセット信号ＲＳＴを伝搬させることによって、トランジスタＴＲ４がオンに切り替わり、電流供給ノードＮＤＩの電圧が接地電位ＧＮＤにリセットされ、キャパシタＣ１の電荷が０になる。
【０１３０】
その後、図７（Ｃ）のように、マイクロコンピュータ４５がリセット信号線ＲＳＴＬにローレベルのリセット信号ＲＳＴを伝搬させることによって、トランジスタＴＲ４がオフに切り替わり、図７（Ａ）のように、キャパシタＣ１の充電が開始される。
【０１３１】
（盗聴器検出器の第２ステップＳＴ２）
（通常時のスキャン）
マイクロコンピュータ４５は、検出部４２４の出力を監視しており、図７（Ｄ）のように、検出部４２４が出力する受信レベルが一定値（以後、図７の説明ではＬＥＶとする）以下の場合は、図７（Ｅ）のように、切り替え信号線ＣＮＴＬにハイレベルの切り替え信号ＣＮＴを伝搬させることによって、トランジスタＴＲ６がオンに切り替わり、第２の電流源が生成する電流ＩＣ４が電流供給ノードＮＤＩを介して、キャパシタＣ１に供給される。
【０１３２】
この時、キャパシタＣ１は、第１および第２の電流源が生成する電流ＩＣ３およびＩＣ４によって充電され、図７（Ａ）のように電流供給ノードＮＤＩの電圧ＶＣＮＴが上昇する。
【０１３３】
そして、この電圧ＶＣＮＴは、ＶＣＯ制御信号線ＶＣＮＴＬに伝搬され、ＶＣＯ４３３に出力される。
【０１３４】
（低速スキャン）
図７（Ｄ）に示すように、検出部４２４が出力する受信レベルが一定値以上の場合は、図７（Ｅ）のように、マイクロコンピュータ４５は、切り替え信号線ＣＮＴＬにローレベルの切り替え信号ＣＮＴを伝搬させることによって、トランジスタＴＲ６がオフに切り替わり、第２の電流源が生成する電流ＩＣ４は電流供給ノードＮＤＩを介して、キャパシタＣ１に供給されない。
【０１３５】
この時、キャパシタＣ１は、第１の電流源が生成する電流ＩＣ３のみによって充電され、図７（Ａ）のように電圧ＶＣＮＴが上昇する。この時の電圧ＶＣＮＴの上昇は、キャパシタＣ１を電流ＩＣ３および電流ＩＣ４で充電する通常のスキャン時と比較して緩やかに上昇する。
【０１３６】
そして、この電圧ＶＣＮＴは、ＶＣＯ制御信号線ＶＣＮＴＬに伝搬され、ＶＣＯ４３３に出力される。
【０１３７】
（通常時のスキャン）
図７（Ｄ）に示すように、再び検出部４２４が出力する受信レベルが一定値以下に切り替わったため、図７（Ｅ）のように、マイクロコンピュータ４５が、再び切り替え信号線ＣＮＴＬにハイレベルの切り替え信号ＣＮＴを伝搬させ、トランジスタＴＲ６がオンに切り替わって、第２の電流源の出力がオンに切り替わる。
【０１３８】
この時、キャパシタＣ１は、第１および第２の電流源が生成する電流ＩＣ３およびＩＣ４によって充電され、図７（Ａ）のように電流供給ノードＮＤＩの電圧ＶＣＮＴが上昇する。
【０１３９】
そして、この電圧ＶＣＮＴは、ＶＣＯ制御信号線ＶＣＮＴＬに伝搬され、ＶＣＯ４３３に出力される。
【０１４０】
（盗聴器検出器の第３ステップＳＴ３）
電圧比較部ＣＰＮは、電流供給ノードＮＤＩの電圧とノードＮＤ１の電圧とを比較する。電流供給ノードＮＤＩの電圧ＶＣＮＴが、抵抗Ｒ１とＲ２による分圧電圧（ノードＮＤ１の電圧）がＶＢ１に達した時、図７（Ｂ）のように、ノードＮＤ３の電位が上昇して、エンド信号線ＥＮＤＬのエンド信号ＥＮＤがハイレベルに切り替わり、ハイレベルのエンド信号ＥＮＤがマイクロコンピュータ４５に出力される。
【０１４１】
（盗聴器検出器の第４ステップＳＴ４）
図７（Ｃ）のように、マイクロコンピュータ４５が、再びリセット信号線ＲＳＴＬにハイレベルのリセット信号ＲＳＴを伝搬させることによって、電流供給ノードＮＤＩの電圧が接地電位ＧＮＤにリセットされる。
【０１４２】
以後は、盗聴器検出器の第１ステップＳＴ１から第４ステップＳＴ４を繰り返して、周波数のスキャンを連続的に行う。
【０１４３】
以上説明したように、本実施形態に係る盗聴器検出器２では、検出部４２４、スキャン部４３１、および切り替え部４３２を採用し、受信レベルが一定値以下の場合は、切り替え部４３２が、トランジスタＴＲ６をオンに切り替え、キャパシタＣ１の充電を電流ＩＣ３とＩＣ４で充電する（通常のスキャン）。受信レベルが一定値以上の場合は、切り替え部４３２が、トランジスタＴＲ６をオフに切り替え、キャパシタＣ１の充電を受信レベルが一定値以下の場合より少ない電流ＩＣ３のみで充電する（低速スキャン）。
【０１４４】
言い換えれば、受信レベルが一定値以下の場合は、切り替え部４３２が第２の電流源をオンに切り替えることで、キャパシタＣ１が短時間で充電され、盗聴器６が発信していない周波数帯域を通常時より高速にスキャンする。
【０１４５】
本実施形態に係る盗聴器検出器２では、このようにして、電波信号に特定の情報が含まれているかを判断する信号処理を行うための十分な時間を確保し、ノイズを低減させ、スキャン速度を向上させて盗聴器の検出時間を短縮させている。
【０１４６】
また、本実施形態に係る盗聴器検出器２では、スキャン部および切り替え部を安価な抵抗、キャパシタ、およびトランジスタ等の電子部品で実現できる。さらに、図４に示す受信回路４２は、一般的な高周波受信用集積回路に含まれており、電波信号の受信レベルを検出する検出部４２４を新たに設ける必要がない。このため、回路構成が単純になる利点がある。
【０１４７】
なお、本実施形態に係るスキャン部４３１、および切り替え部４３２を構成しているトランジスタＴＲ１〜ＴＲ３、およびＴＲ５は、回路構成を工夫することにより、ｎｐｎ型のトランジスタを用いることができる。さらに、本実施形態に係るスキャン部４３１、および切り替え部４３２を構成しているトランジスタＴＲ４、ＴＲ６は、回路構成を工夫することにより、ｐｎｐ型のトランジスタを用いることができる。
【０１４８】
次に、本時計部３の具体的な構成例について、図８を参照しながら詳細に説明する。
【０１４９】
図８は、本実施形態に係る時計部の具体的な一構成例を示すブロック図である。
【０１５０】
図８に示す時計部３は、たとえば時計用受信部３１、時計表示部３２、制御回路３３、発振回路３４、スイッチ群３５、時計用マイクロフォン３６、光センサ３７、光電変換部３８、時計用検出部３９、受信状態表示部３１０、および発音部５を有する。また、時計部３は、図１に示す盗聴器検出器２と発音部５を共有している。
【０１５１】
具体的には、時計用受信部３１は、時計用受信アンテナ３１１、および長波受信回路３１２を有する。
【０１５２】
また、制御回路３３は、たとえば時カウンタ、分カウンタ、秒カウンタ等を含む内部時計３３１、およびバッファ（メモリ）３３２を有する。
【０１５３】
次に、本時計部３の各構成要素について説明する。
【０１５４】
図８に示す時計用受信部３１については、図１に示す時計用受信部３１の説明と同様であるため、その説明を割愛する。
【０１５５】
時計表示部３２は、たとえば、制御回路３３からの表示制御信号に応じた所定の表示を行う。時計表示部３２は、制御回路３３から、計時されている時刻に基づいた表示制御信号が入力されると、その表示制御信号に応じた時刻表示を行う。また、時計表示部３２は、制御回路３３の制御により、時計用受信部３１による標準時刻信号の受信状態についての評価に応じた受信状態表示を行う機能（後述する受信状態表示部３１０）を有する。
【０１５６】
本実施形態に係る時計表示部３２では、表示装置として、液晶（ＬＣＤ）パネルを一例として採用している。また、時計表示部３２は、液晶パネル３２１を駆動するための駆動回路３２２を有する。以下、時計表示部３２が液晶パネルの場合について、図９を参照しながら説明する。
【０１５７】
図９は、本実施形態に係る時計表示部の一具体例を示す図である。
【０１５８】
図９に示す液晶パネル３２１は、たとえば、時分を表示する時分表示部ＤＰＡ１、秒を表示する秒表示部ＤＰＡ２、月日を表示する月日表示部ＤＰＡ３、曜日を表示する曜日表示部ＤＰＡ４、アラーム時刻を表示するアラーム時刻表示部ＤＰＡ５、および時計用受信部３１の受信状態表示の複数の表示項目を表示する電波受信表示部ＤＰＡ６を有する。液晶パネル３２１は、その構成により、上述した表示内容の他に画像、文字、あるいは記号等を表示できる。
【０１５９】
また、本電波修正時計１では、時計表示部３２と、時計用受信部３１の受信状態を表示する受信状態表示部３１０とが同じ表示装置、たとえば液晶パネル３２１上に設けられている。
【０１６０】
図９の一例では、時分表示部ＤＰＡ１が液晶パネル３２１の表示領域の上半分以上の領域に割り当てられている。この時分表示部ＤＰＡ１の表示形態は、時分のディジタル表示を大きく表示可能で、秒表示部ＤＰＡ２を分表示の図中右下横部分に配置している。また、時分表示部ＤＰＡ１の図中左上横部に、電波受信表示部ＤＰＡ６を配置している。この電波受信表示部ＤＰＡ６は、制御回路３３の制御により、時計用受信部３１による標準電波受信時に点滅して、電波受信中である旨を報知する。そして、液晶パネル３２１の表示領域の下半分以下の領域に、月日表示部ＤＰＡ３、曜日表示部ＤＰＡ４、アラーム時刻表示部ＤＰＡ５が並列に配置されている。
【０１６１】
時計表示部３２の駆動回路３２２は、制御回路３３から入力された表示制御信号に基づいて、駆動信号を液晶パネル３２１に出力し、制御する。
【０１６２】
制御回路３３は、所定の電源電位ＶＤＤ（たとえば電源電圧）に接続され、また図１に示すマイクロコンピュータ４５に接続されている。そして、制御回路３３には、長波受信回路３１２からパルス信号Ｓ１１が、発振回路３４から所定クロックが、時計用マイクロフォン３６から音声信号が、光センサ３７および時計用検出部３９から所定の信号がそれぞれ入力される。これらの入力信号、およびユーザによるスイッチ群３５の操作に応じて、制御回路３３は、発振回路３４のクロックに同期して、長波受信回路３１２、時計表示部３２、時計用検出部３９、受信状態表示部３１０、マイクロコンピュータ４５、および発音部５の信号発生器５１をそれぞれ制御する。
【０１６３】
制御回路３３は、アラーム時刻に、たとえばアラーム音やメロディ音などの音声信号を信号発生器５１に出力し、盗聴器検出器２が盗聴器を検出するように盗聴器検出の制御信号をマイクロコンピュータ４５に出力する。
【０１６４】
また、制御回路３３は、たとえば、所定の標準電波受信時刻、後述するリセットスイッチ３５１等が操作された場合には、時計用受信部３１に駆動電力を供給し、標準電波信号を受信させ、パルス信号Ｓ１１を出力させ、標準電波信号の受信状態を評価して、その評価に応じた受信状態を示す表示を時計表示部３２や受信状態表示部３１０に行わせ、適正に受信できた場合には、受信した標準電波信号に含まれる標準時刻信号に基づいて、内部時計３３１で受信されている時刻を修正する。
【０１６５】
本実施形態では、制御回路３３は、設定時間、たとえば略１０秒毎に、受信状態を示す１０段階の評価値を受信状態表示部３１０に表示させ、１秒毎に受信状態を受信状態表示部３１０に表示させる。
【０１６６】
本実施形態では、制御回路３３は、たとえば、図９に示すように、時計表示部３２の液晶パネル３２１の時分表示部ＤＰＡ１の分桁（分表示部ＤＰＡ１２）に受信状態を示す１０段階の評価値を表示させ、時桁（時表示部ＤＰＡ１１）に１秒毎に受信状態に応じた表示させる。詳細には、たとえば、受信状態が良好である旨を示す表示"０"や、受信状態が良好でない旨を示す表示"−"等の受信状態を表示させる。
【０１６７】
制御回路３３が、たとえば、分桁（分表示部ＤＰＡ１２）に表示させる受信状態の１０段階表示は、たとえば０〜３の場合には、電波の受信状態が非常に良好でない旨を示し、４〜７の場合には、受信の可能性がある旨を示し、８〜１０の場合には電波受信状態が良好である旨を示す。
【０１６８】
制御回路３３が、たとえば、時桁（時表示部ＤＰＡ１１）に表示する１秒毎の受信状態に応じた表示は、受信時にパルス信号Ｓ１１を３２Ｈｚでサンプリングを行い、１秒当り３２個のハイレベルに相当する"１"データ、またはローレベルに相当する"０"データをバッファ３３２に格納し、１秒毎にパルス波形の状態を判定し、その結果に基づいて受信状態を受信状態表示部３１０に表示させる。
【０１６９】
内部時計３３１は、たとえば時カウンタ、分カウンタ、秒カウンタ等を有し、時刻を計時し、制御回路３３によって制御される。
【０１７０】
バッファ３３２は、たとえばユーザによるアラーム時刻等の各種設定等、種々のデータを記憶する。
【０１７１】
発振回路３４は、たとえば、水晶発振器ＣＲＹ、およびキャパシタＣ２、Ｃ３により構成され、所定の周波数の基本クロックを生成し、制御回路３３に供給する。
【０１７２】
スイッチ群３５は、たとえば、リセットスイッチ３５１、修正スイッチ３５２、アップスイッチ３５３、ダウンスイッチ３５４、盗聴器検出切り替えスイッチ３５５、および設定スイッチ３５６を有する。スイッチ群３５は、ユーザにより操作され、操作に応じた信号が制御回路３３に出力される。制御回路３３では、その信号に応じた所定の処理を行う。
【０１７３】
リセットスイッチ３５１は、制御回路３３の各種状態を初期状態に戻すときにオンされる。リセットスイッチ３５１が操作された場合、または、図示しない電池がセットされた場合に、制御回路３３は各種状態を初期状態に戻し、時計用受信部３１に標準電波信号を強制的に受信させ、受信状態に基づいて計時時刻を修正する。
【０１７４】
修正スイッチ３５２は、たとえばアラーム時刻を設定する際に操作される。修正スイッチ３５２が操作された場合、制御回路３３は、たとえばアラーム時刻設定モードとなり、アップスイッチ３５３やダウンスイッチ３５４の操作に応じた信号に基づいてアラーム時刻を修正し、再度修正スイッチ３５２が操作された場合に、修正されたアラーム時刻をセットする。
【０１７５】
アップスイッチ３５３、およびダウンスイッチ３５４は、たとえば上述したようにアラーム時刻を設定する際や、各種設定を行う際に操作される。制御回路３３は、たとえばアップスイッチ３５３やダウンスイッチ３５４の操作に応じた信号に基づいて各種情報の設定を行う。
【０１７６】
盗聴器検出切り替えスイッチ３５５は、たとえば盗聴器検出器２の機能をオン・オフに切り替える際に操作される。制御回路３３は、盗聴器検出切り替えスイッチ３５５の操作に応じた信号に基づいて制御される。
【０１７７】
具体的には、たとえば、盗聴器検出切り替えスイッチ３５５がオンの場合は、盗聴器検出器２が盗聴器の検出を行うように、制御回路３３がマイクロコンピュータ４５に制御信号を出力する。盗聴器検出切り替えスイッチ３５５がオフの場合は、通常のアラーム音等を発するように信号発生器５１を制御する。なお、盗聴器検出器２をオン・オフに切り替える機能の設置は任意であり、スイッチの設置等は特に限定されない。
【０１７８】
設定スイッチ３５６は、たとえば、受信モード、表示モード、アラーム報知モード等の複数のモードを有し、各種モードを設定する際に操作される。制御回路３３は、設定スイッチ３５６が操作された場合に、その操作に応じたモードを設定する。
【０１７９】
時計用マイクロフォン３６は、音波を電気信号に変換し、制御回路３３に出力する。
【０１８０】
光センサ３７は、たとえば、ＣｄＳ光センサであり、光を検出し、検出信号を制御回路３３に出力する。
【０１８１】
光電変換部３８は、たとえば図示していない２次電源に、電気エネルギを出力し、２次電源の充電を行う。
【０１８２】
時計用検出部３９は、たとえば光電変換部３８から出力された電気エネルギの電圧に応じた検出信号を制御回路３３に出力する。
【０１８３】
受信状態表示部３１０は、制御回路３３により評価された、時計用受信部３１による標準時刻信号の受信状態を表示する。
【０１８４】
発音部５は、本時計部３と盗聴器検出器２（たとえば図１を参照）と共有されている。信号発生器５１は、盗聴器検出切り替えスイッチ３５５のオン・オフにかかわらず、制御回路３３によってアラーム音等を含む音声信号を生成する。また、上述したように、盗聴器検出切り替えスイッチ３５５がオンの場合は、マイクロコンピュータ４５からの制御によって、たとえばアラーム時刻に、所定周波数（たとえば可聴周波数帯域）の音声信号を生成する。
【０１８５】
図１０は、本実施形態に係る電波修正時計の外観の一例を示す図である。
【０１８６】
図１０に示すように、電波修正時計１の本体部１００は、たとえば本体部１００の下部にスイッチ群３５が設けられている。詳細には、本体部１００の下部に、アップスイッチ３５３、ダウンスイッチ３５４、および（モード）設定スイッチ３５６が並んで設けられている。たとえば、リセットスイッチ３５１、修正スイッチ３５２、盗聴器検出切り替えスイッチ３５５等のスイッチや、スピーカ５２は、図示していない本体部１００の背面部に設けられている。
【０１８７】
本体部１００の中央部には、たとえば、表示エリア１１０に設けられている。この表示エリア１１０には、たとえば、時計表示部３２、受信状態を表示する受信状態表示部３１０、および盗聴器検出器２の報知部４６が設けられている。
【０１８８】
なお、本実施形態では、時計表示部３２と、受信状態表示部３１０とが液晶パネル３２１に設けられているが、報知部４６がこれらの表示部と同じ表示装置（たとえば液晶パネル３２１）に設けられていてもよく、その表示方法や表示内容、表示位置等は本実施形態に限定されない。
【０１８９】
次に、本電波修正時計１の動作について、図１等を参照しながらフローチャートを用いて説明する。
【０１９０】
図１１は、本実施形態に係る電波修正時計の動作を説明するためのフローチャートである。
【０１９１】
（第１ステップＳ１）
第１ステップＳ１では、ユーザがアラーム時刻を設定する。
【０１９２】
詳細には、ユーザが、時計部３のスイッチ群３５、たとえば修正スイッチ３５２、アップスイッチ３５３やダウンスイッチ３５４、設定スイッチ３５６等を操作して、時情報、分情報等のアラーム時刻を設定する。なお、この時、盗聴器検出切り替えスイッチ３５５はオンに設定されているとする。ユーザによるスイッチ群３５の操作に応じた信号が制御回路３３に出力され、ユーザによる設定が時計部３のバッファ３３２に記憶され、液晶パネル３２１のアラーム時刻表示部ＤＰＡ５に反映される。
【０１９３】
（第２ステップＳ２）
第２ステップＳ２では、制御回路３３が内部時計３３１の時刻修正を行う。
【０１９４】
詳細には、時計部３の時計用受信部３１は、標準電波放送局７から標準時刻信号を含む標準電波信号を受信する。そして、時計用受信部３１は、標準電波信号に検波等の所定の信号処理を施して、時情報、分情報、秒情報等を含む時刻情報をパルス信号Ｓ１１として制御回路３３に出力する。
【０１９５】
制御回路３３は、パルス信号Ｓ１１が入力され、時刻情報に基づいて内部時計３３１により計時される時刻を修正する。また、制御回路３３は、受信状態を示す１０段階の評価を行う。
【０１９６】
（第３ステップＳ３）
第３ステップＳ３では、制御回路３３が表示時刻等の修正を行う。
【０１９７】
詳細には、制御回路３３は、内部時計３３１が計時している時刻情報に基づいて、時計表示部３２に表示されている時刻情報等を修正する。また、制御回路３３は、設定時間、たとえば略１０秒毎に、受信状態を示す１０段階の評価値を受信状態表示部３１０に表示させ、１秒毎に受信状態を受信状態表示部３１０に表示させる。
【０１９８】
（第４ステップＳ４）
第４ステップＳ４は、制御回路３３がアラーム時刻に行う動作に関する。
【０１９９】
詳細には、制御回路３３は、内部時計３３１が計時している時刻があらかじめ設定されたアラーム時刻になると（ＹＥＳの場合）、盗聴器を検出するための制御信号を盗聴器検出器２のマイクロコンピュータ４５に出力する。
【０２００】
アラーム時刻に達していない場合（ＮＯの場合）、制御回路３３は、第６ステップＳ６の処理を行う。
【０２０１】
（第５ステップＳ５）
第５ステップＳ５では、盗聴器検出器２が盗聴器６の検出を行う。
【０２０２】
詳細には、盗聴器検出器２のマイクロコンピュータ４５は、時計部３の制御回路３３から制御信号を受け、所定周波数の音波信号を発信するように、発音部５の信号発生器５１を制御する。
【０２０３】
そして、盗聴器検出器２は、上述した盗聴器検出器の第１ステップＳＴ１〜第４ステップＳＴ４を実行して盗聴器６の検出を行い、検出結果を報知部４６に報知する。
【０２０４】
（第６ステップＳ６）
第６ステップＳ６は、ユーザによるアラーム時刻の再設定に関する。
【０２０５】
詳細には、ユーザがアラーム時刻を再設定した場合（ＹＥＳの場合）は、電波修正時計１は、たとえば第１ステップＳ１の処理に戻る。ユーザがアラーム時刻を再設定をしない場合（ＮＯの場合）は、電波修正時計１は、たとえば第２ステップＳ２の処理に戻る。
【０２０６】
以上に説明したように、本実施形態に係る電波修正時計は、盗聴器を検出する盗聴器検出器とアラーム機能を有し、アラーム時刻に特定音を発しながら、盗聴器検出器が盗聴器の検出を行う。
【０２０７】
このため、本実施形態では、ユーザ自身が盗聴器検出器を操作することなく、自動的に盗聴器の検出が行える。
【０２０８】
また、本実施形態では、アラーム機能と連動して盗聴器の検出を行うため、盗聴器の存在を常時監視し、定期的に盗聴器を検出できる。
【０２０９】
さらに、本実施形態では、電波修正時計に盗聴器検出機能を設けたため、日常生活において違和感なく盗聴器の検出が実行できる。また、このような盗聴器検出機能付きの電波修正時計は、万人に購入しやすい利点がある。
【０２１０】
なお、本発明は、本実施形態に限られるものではなく、任意好適な種々の変更が可能である。たとえば、本実施形態では、一例として、時計に電波修正時計を採用したが、発音部およびアラーム機能する時計であれば、その構成等は特に限定されない。また、本実施形態に係る盗聴器検出器においても、特定音を発し、受信音が自ら発した特定音か否かを判断して盗聴器の検出を行う盗聴器検出器で、発音部を時計が有する発音部と共有できれば、その構成は特に限定されない。
【図面の簡単な説明】
【０２１１】
【図１】本実施形態に係る電波修正時計の一実施形態で、各構成要素の主要部を示すブロック図である。
【図２】図１に示した電波修正時計で受信される標準電波信号に含まれる標準時刻信号の一具体例を示す図である。
【図３】標準電波信号の時刻コード（タイムコード）の一部を示す図である。
【図４】本実施形態に係る盗聴器検出器の具体的な一構成例を示すブロック図である。
【図５】音声信号が本実施形態に係るバンドパスフィルタを通過する際の、波形の変化を説明するための図である。
【図６】本実施形態に係るスキャン部、および切り替え部の一構成例を示す回路図である。
【図７】本実施形態に係る切り替え部、およびスキャン部の動作を説明するためのタイミングチャートである。
【図８】本実施形態に係る時計部の具体的な一構成例を示すブロック図である。
【図９】本実施形態に係る時計表示部の一具体例を示す図である。
【図１０】本実施形態に係る電波修正時計の外観の一例を示す図である。
【図１１】本実施形態に係る電波修正時計の動作を説明するためのフローチャートである。
【符号の説明】
【０２１２】
１…電波修正時計、２…盗聴器検出器、３…時計部、３１…時計用受信部、３２…時計表示部、３３…制御回路、３４…発振回路、３５…スイッチ群、３６…時計用マイクロフォン、３７…光センサ、３８…光電変換部、３９…時計用検出部、３１０…受信状態表示部、３１１…時計用受信アンテナ、３１２…長波受信回路、３２１…液晶パネル、３２２…駆動回路、３３１…内部時計、３３２…バッファ（メモリ）、３５１…リセットスイッチ、３５２…修正スイッチ、３５３…アップスイッチ、３５４…ダウンスイッチ、３５５…盗聴器検出切り替えスイッチ、３５６…設定スイッチ、４…盗聴器検出部、４１…受信アンテナ、４２…受信回路、４３…受信周波数走査系、４４…信号処理系、４５…マイクロコンピュータ、４６…報知部、４２１…高周波増幅器、４２２…混合器、４２３…中間周波数増幅器、４２４…検出部、４２５…第１の検波器、４３１…スキャン部、４３２…切り替え部、４３３…ＶＣＯ、４４１…バンドパスフィルタ、４４２…第２の検波器、５…発音部、５１…信号発生器、５２…スピーカ、６…盗聴器、６１…（盗聴器の）アンテナ、６２…（盗聴器の）マイクロフォン、７…標準電波放送局、１００…（電波修正時計の）本体部、１１０…表示エリア、Ｃ１〜Ｃ３…キャパシタ、ＣＮＴ…信号、ＣＮＴＬ…信号線、ＣＰＮ…電圧比較部、ＣＲＹ…水晶発振器、ＤＰＡ１…時分表示部、ＤＰＡ２…秒表示部、ＤＰＡ３…月日表示部、ＤＰＡ４…曜日表示部、ＤＰＡ５…アラーム時刻表示部、ＤＰＡ６…電波受信表示部、ＤＰＡ１１…時表示部、ＤＰＡ１２…分表示部、ＥＮＤ…エンド信号、ＥＮＤＬ…エンド信号線、ＧＮＤ…接地電位、ＩＣ３…電流、ＩＣ４…電流、ＪＪＹ…日本標準電波、Ｍ…マーカー、ＮＤ１〜ＮＤ１０…ノード、ＮＤＩ…電流供給ノード、Ｐ０、Ｐ１…ポジションマーカー、Ｒ１〜Ｒ１０…抵抗、ＲＳＴ…リセット信号、ＲＳＴＬ…リセット信号線、Ｓ１１…パルス信号、ＴＲ１〜ＴＲ６…トランジスタ、ＶＣＮＴ…電圧、ＶＣＮＴＬ…ＶＣＯ制御信号線、ＶＤＤ…電源電位。
【図１】
2008252535.tif 000003
【図２】
2008252535.tif 000004
【図３】
2008252535.tif 000005
【図４】
2008252535.tif 000006
【図５】
2008252535.tif 000007
【図６】
2008252535.tif 000008
【図７】
2008252535.tif 000009
【図８】
2008252535.tif 000010
【図９】
2008252535.tif 000011
【図１０】
2008252535.tif 000012
【図１１】
2008252535.tif 000013